(57)【要約】  集積回路デバイス（２００）は、少なくとも１つの無線周波数（ＲＦ）送受信器モジュール（２１０）を備える。少なくとも１つのＲＦ送受信器モジュール（２１０）は、その入力（２２１、２２４、２２７）で集積回路デバイス（２００）の外部接点（２０２、２０４）に動作可能に結合された複数の低雑音増幅器（ＬＮＡ）（２２０、２２３、２２６）を備える。少なくとも１つの送受信器モジュール（２１０）はさらに、その出力（２３１、２３６）で集積回路デバイスの外部接点（２０２、２０４）に動作可能に結合された複数の電力増幅器（ＰＡ）モジュール（２３０、２３５）を備える。複数のＬＮＡ（２２０、２２３、２２６）および複数のＰＡ（２３０、２３５）は、少なくとも第１のマルチアンテナ構成および第２の単一アンテナ高送信電力構成において動作するよう、選択的に構成可能である。
2013539947.tif 000002
【特許請求の範囲】
【請求項１】
少なくとも１つのＲＦ送受信器モジュール（２１０）を備える集積回路デバイス（２００）であって、前記少なくとも１つのＲＦ送受信器モジュール（２１０）は、
複数の低雑音増幅器（２２０、２２３、２２６）であって、前記複数の低雑音増幅器（２２０、２２３、２２６）はそれぞれ、入力ポート（２２１、２２４、２２７）を有し、前記複数の低雑音増幅器（２２０、２２３、２２６）は、前記集積回路デバイス（２００）の少なくとも１つの外部接点（２０２、２０４）に動作可能に結合され、かつ前記少なくとも１つの外部接点（２０２、２０４）から第１のＲＦ信号を受信し、増幅された受信した第１のＲＦ信号を出力（２２２、２２５、２２８）するよう構成されていることと；
複数の電力増幅器（２３０、２３５）であって、前記複数の電力増幅器（２３０、２３５）はそれぞれ、出力ポート（２３１、２３６）を有し、前記複数の電力増幅器（２３０、２３５）は、前記集積回路デバイス（２００）の前記少なくとも１つの外部接点（２０２、２０４）に動作可能に結合され、かつ各電力増幅器入力ポート（２３２、２３７）で第２のＲＦ信号を受信し、増幅された送信される第２のＲＦ信号を出力（２３１、２３６）するように構成されることと
を含み、
前記複数の低雑音増幅器（２２０、２２３、２２６）および前記複数の電力増幅器（２３０、２３５）は、少なくとも第１のマルチアンテナ構成および第２の単一アンテナ高送信電力構成において動作するよう選択的に構成可能である、集積回路デバイス（２００）。
【請求項２】
前記複数の低雑音増幅器（２２０、２２３、２２６）および前記複数の電力増幅器（２３０、２３５）は、マルチアンテナ送受信器構成、単一アンテナ高送信電力送受信器構成、単一アンテナ低送信電力送受信器構成、の群のうちの少なくとも１つにおいて動作するよう選択的に構成可能である、
請求項１に記載の集積回路デバイス（２００）。
【請求項３】
前記ＲＦ送受信器モジュール（２１０）が前記第１のマルチアンテナ構成において動作するよう構成された場合、前記ＲＦ送受信器モジュール（２１０）は、
その入力（２２１）で前記集積回路デバイス（２００）の第１の外部接点（２０２）に動作可能に結合され、かつ前記第１の外部接点（２０２）から前記第１のＲＦ信号を受信し、増幅された第１のＲＦ信号を出力（２２２）するよう選択的に構成可能である第１の低雑音増幅器（２２０）と；
その入力（２２４）で前記集積回路デバイス（２００）の第２の外部接点（２０４）に動作可能に結合され、かつ前記第２の外部接点（２０４）から前記第１のＲＦ信号を受信し、増幅された第１のＲＦ信号を出力（２２５）するよう選択的に構成可能である第２の低雑音増幅器（２２３）と
を備える、
請求項１または請求項２に記載の集積回路デバイス（２００）。
【請求項４】
前記ＲＦ送受信器モジュール（２１０）が前記第１のマルチアンテナ構成において動作するよう構成された場合、前記ＲＦ送受信器モジュール（２１０）は、
その出力（２３１）で前記集積回路デバイス（２００）の第１の外部接点（２０２）に動作可能に結合され、かつ送信される前記第２のＲＦ信号をその入力（２３２）で受信し、増幅された送信される第２のＲＦ信号を前記第１の外部接点（２０２）に出力（２３１）するよう選択的に構成可能である第１の電力増幅器（２３０）と；
その出力（２３６）で前記集積回路デバイス（２００）の第２の外部接点（２０４）に動作可能に結合され、かつ送信される前記第２のＲＦ信号をその入力（２３７）で受信し、増幅された送信される前記第２のＲＦ信号を前記第２の外部接点（２０４）に出力（２３６）するよう選択的に構成可能である第２の電力増幅器（２３５）と
を備える、
請求項１乃至３のいずれか１項に記載の集積回路デバイス（２００）。
【請求項５】
前記第１の低雑音増幅器（２２０）および前記第１の電力増幅器（２３０）は、前記第１の外部接点（２０２）に対して互換性のあるインピーダンスを備えるよう構成された、
請求項４に記載の集積回路デバイス（２００）。
【請求項６】
前記複数の低雑音増幅器（２２０、２２３、２２６）は、第３の低雑音増幅器（２２６）を備え、
前記第３の低雑音増幅器（２２６）は、その入力（２２７）で前記集積回路デバイス（２００）の第１の外部接点（２０２）および第２の外部接点（２０４）のうちの少なくとも１つに動作可能に結合され、かつ少なくとも前記複数の低雑音増幅器の他の低雑音増幅器（２２０、２２３）よりも少ない係数の入力インピーダンスを有する、
請求項１乃至５のいずれか１項に記載の集積回路デバイス（２００）。
【請求項７】
前記第３の低雑音増幅器（２２６）は、前記第２の単一アンテナ高送信電力構成における動作の受信モードにおいて使用するために選択的に制御される、
請求項６に記載の集積回路デバイス（２００）。
【請求項８】
前記複数の電力増幅器（２３０、２３５）は、前記第２のＲＦ信号が少なくとも２つの電力増幅器（２３０、２３５）によって増幅され、かつ前記少なくとも１つの外部接点（２０２、２０４）に出力（２３１、２３６）されるよう前記集積回路デバイス（２００）を構成することによって、前記第２の単一アンテナ高送信電力構成において動作するよう選択的に制御される、
請求項６または請求項７に記載の集積回路デバイス（２００）。
【請求項９】
前記第３の低雑音増幅器（２２６）は、前記第１の外部接点（２０２）および前記第２の外部接点（２０４）に対して、それと並列に動作可能に結合された場合、前記第１の電力増幅器および前記第２の電力増幅器（２３０、２３５）と互換性のあるインピーダンスを備える、
請求項８に記載の集積回路デバイス（２００）。
【請求項１０】
前記ＲＦ送受信器モジュール（２１０）はさらに、制御モジュール（２４０）を備え、
前記制御モジュール（２４０）は、前記複数の低雑音増幅器（２２０、２２３、２２６）および前記複数の電力増幅器（２３０、２３５）が少なくとも前記第１のマルチアンテナ構成および前記第２の単一アンテナ高送信電力構成において動作するよう選択的に制御されるよう構成される、
請求項１乃至９のいずれか１項に記載の集積回路デバイス（２００）。
【請求項１１】
請求項１乃至１０のいずれか１項に記載の前記集積回路デバイス（２００）を備える、無線通信ユニット（１００）。
【請求項１２】
無線通信ユニット用の集積回路の設計を生成する方法（１１００）であって、前記方法は、
前記無線通信ユニット用のＲＦ送受信器構成を決定すること（１１２０）と；
決定された前記ＲＦ送受信器構成に必要なアンテナおよび整合ネットワーク構成を選択すること（１１３０）と；
選択されたアンテナおよび整合ネットワーク構成を備える前記集積回路用のＲＦ送受信器回路を、構成可能な第１のマルチアンテナ構成、および構成可能な第２の単一アンテナ高送信電力構成からなる群のうちの少なくとも１つにおいて動作するよう組み立てること（１１４０）と；
前記集積回路デバイスのＲＦ送受信器モジュールを決定されたＲＦ送受信器構成に従って動作するよう構成すること（１１５０）と
を有する方法。
【請求項１３】
前記方法はさらに、前記設計に従って、前記集積回路を製造することを含む、
請求項１２に記載の方法。
【発明の詳細な説明】
【技術分野】
【０００１】
本発明は、集積回路デバイス、無線通信ユニット、および無線通信ユニットの製造方法に関する。
【背景技術】
【０００２】
エネルギーの規制撤廃および市場主導型の価格は、どちらもエネルギー消費をエネルギー生成と整合させたいとの望みをもたらす。エネルギー消費を計測するための従来の計測器は、一定の期間に渡る消費の目視ができるが、特定の時点での消費を示すものではない。これに対処するため、「スマートメータ」は、どんな時もエネルギー価格に依存して消費エネルギーの動的処理を許可するよう開発されてきた。
【０００３】
スマートメータは、一般的に、エネルギー供給者がアクセスするユーザデータリポジトリである世界的ネットワーク内に組み込まれる。無線周波数（ＲＦ）ネットワークは、多くの場合、既存のユーザデータリポジトリをアップデートするためのもっとも実用的な方法であることが分かっている。スマートエネルギー計測は、いくつかの試験都市に導入されている。しかしながら、幅広く認められるには、スマートエネルギー計測は一般的に認められているＲＦ標準に沿って定義されなければならない可能性が高いと考えられ、低コストの解決法に徹した開発が可能となる。
【０００４】
標準は現在ＩＥＥＥによって定義される過程にあるが、スマートエネルギー計測の世界標準は、現段階では存在しない。しかしながら、結果としてもたらされるいかなる標準も、要件が複雑でまだ完全には定義されないため、柔軟である必要がある。その上、結果としてもたらされる標準の実施においては、国の周波数および技術要件／制限がさまざまであるため、必然的に各国間で異なることになる。例えば、米国においてはＩＥＥＥ８０２．１５．４（ｇ）への準拠が必須であり、９００ＭＨｚ帯域での高電力送信が許可される。しかしながら、ヨーロッパでは、電力の制限事項により高電力送信の使用は規制されているため、他の標準が採用されてもよく、例として、Ｍ−Ｂｕｓ（Ｍｅｔｅｒ−Ｂｕｓ）がガスまたは電気メータの遠隔読み取りのヨーロッパ標準（ＥＮ１３７５７−２物理およびリンク層、ＥＮ１３７５７−３アプリケーション層）となっている。その他の独自プロトコルもいくつかの国で採用され得る。
【０００５】
アンテナダイバーシティは、スペースダイバーシティとしても知られているが、無線リンクの品質および信頼性を向上させるために２つ以上のアンテナを使用する、いくつかある無線ダイバーシティ方式の１つである。多くの場合、特に都市および室内環境においては、送信機と受信器との間に明確なラインオブサイト（ＬＯＳ）通信路は、存在しない。代わりに、送信された信号は、最終的に受信される前に複数の経路に沿って反射される。そのような各反射は、位相シフト、時間遅延、信号減衰、および受信アンテナの開口部で破壊的に相互干渉する可能性のある歪曲さえも、発生させ得る。アンテナダイバーシティは、特にこのようなマルチパスの状態を軽減するのに効果的である。これは、複数のアンテナが同じ信号に対する複数の監視を受信器に提供するからである。各アンテナは、異なる干渉環境に直面する。従って、１つのアンテナ要素が大幅な信号減衰に直面している時、他のアンテナ要素は、十分な信号を有している可能性が高い。総合的に、このようなアンテナダイバーシティシステムは、強いリンクを提供できる。この技術は、主に受信システム（ダイバーシティ受信）において使用されるが、送信システム（送信ダイバーシティ）にも有益であることが証明されている。従って、スマートエネルギー計測のような用途のアンテナダイバーシティを使用することが望ましい。
【０００６】
しかしながら、アンテナダイバーシティは、スマートエネルギー計測が実施されるさまざまな国で採用される可能性が高い潜在的な技術すべてと互換性があるわけではない。例えば、既に述べたように、高電力送信は米国で求められる可能性が高いが、必要な電力を供給するのに異なる増幅器回路が必要となるため、一般的にはアンテナダイバーシティ技術と互換性がなく、そのため異なる増幅器回路とアンテナとの間でインピーダンス不整合を生じる原因となる。高送信電力を提供する既存の技術は、並列で動作可能に結合された２つの電力増幅器モジュールを使用する。現段階では、アンテナダイバーシティおよび高送信電力の両方が単一デバイス内に提供されることを可能とするため、別個の独立したＲＦモジュールが異なる技術をサポートする必要があるが、これは極めてコストがかかり望ましくないであろう。
【先行技術文献】
【特許文献】
【０００７】
【特許文献１】特開２００６−２９５２８２号公報
【発明の概要】
【発明が解決しようとする課題】
【０００８】
そのため、現状では、実施し得る独立した技術、特に独立した「アンテナダイバーシティ」および「高電力送信」市場のために開発される別個のＲＦ製品が必要である。
【課題を解決するための手段】
【０００９】
本発明は、添付の特許請求の範囲に記載されているような、集積回路デバイス、無線通信ユニット、および無線通信ユニットの製造方法を提供する。
本発明の具体的な実施形態は従属請求項に記載されている。
【００１０】
本発明のこれらの態様および他の態様は、以下に記載される実施形態から明らかとなり、それらを参照することによって明瞭になろう。
本発明のさらなる詳細、態様、および実施形態を、例としてのみ、図面を参照して記載する。図面において、同様の参照符号は同様のまたは機能的に類似の要素を特定するために使用される。図面内の要素は簡潔かつ明瞭にするために示されており、必ずしも原寸に比例して描かれてはいない。
【図面の簡単な説明】
【００１１】
【図１】無線通信ユニットの一部の簡略化されたブロック図の例を示す。
【図２】集積回路デバイスの例を示す。
【図３】図２の集積回路デバイスの送受信器モジュール構成の例を示す。
【図４】図２の集積回路デバイスの送受信器モジュール構成の例を示す。
【図５】図２の集積回路デバイスの送受信器モジュール構成の例を示す。
【図６】図２の集積回路デバイスの送受信器モジュール構成の例を示す。
【図７】図２の集積回路デバイスの送受信器モジュール構成の例を示す。
【図８】図２の集積回路デバイスの送受信器モジュール構成の例を示す。
【図９】図２の集積回路デバイスの送受信器モジュール構成の例を示す。
【図１０】図２の集積回路デバイスの送受信器モジュール構成の例を示す。
【図１１】無線通信ユニットを製造する方法の簡略化されたフローチャートの例を示す。
【発明を実施するための形態】
【００１２】
現在の送受信器アーキテクチャの設計における困難は、同じ（共通の）アンテナで結合／動作する送信器（ＴＸ）および受信器（ＲＸ）回路の両方が望まれることである。既知の解決法は、２つの異なる最適なインピーダンスに電力増幅器（ＰＡ）および低雑音増幅器（ＬＮＡ）の両方を設計することであり、それにより一層の柔軟性がＩＣ設計者に提供される。機器設計者は、アンテナへのこれら２つのインピーダンスを２つの異なる整合ネットワークと整合させてもよい。その後、アンテナ接続は、ＩＣの部分またはそれに結合可能な追加要素のいずれかとなり得るＲＦアンテナスイッチを使用して行われる。
【００１３】
この手法は多くの現在の送受信器で一般的に見られるが、本発明は異なる視点に基づく低電力および低コストの解決法を開発することに焦点をおく。部品点数を削減するため、共通の整合ネットワークが設計され、それによりＲＦアンテナスイッチを取り外すことができる。この設計では、ＬＮＡおよびＰＡは共通のＩＣピンを使用して並列に構成される。これによりＩＣ設計の柔軟性が損なわれるが、機器設計者にとっては大きな利点となる。１つの例示的な実施形態において、ＬＮＡおよびＰＡは同じ最適なインピーダンスを使用して動作するよう設計され得る。
【００１４】
ここで、スマートエネルギー計測（遠隔計測）を可能とするよう構成された送受信器ユニットに関して、本発明を説明する。しかしながら、本発明はそのような用途に限定されず、製造段階で無線周波数（ＲＦ）送受信器回路を構成する能力が、例えば国／地域の要件／制限などが変更された結果、有利および／または価値がある他の用途にも同等に採用され得ることが理解されよう。そのような別の用途として、例としてのみ、セキュリティおよび／またはアラームシステム、ホームオートメーション用途などを含み得ることが考慮される。
【００１５】
図１を参照すると、本発明の例の発明概念をサポートするよう構成された無線通信ユニット１００の一部を簡略化したブロック図の例が示されている。無線通信ユニット１００は、例示される本発明の実施形態の文脈において、スマートエネルギー計測（遠隔計測）を可能とするよう構成された送受信器ユニットを備える。そのため、無線通信ユニット１００は、アンテナ１０２と、アンテナ１０２に動作可能に結合されるさまざまな既知の無線周波数コンポーネントまたは回路１０６とを備える。無線通信ユニット１００はさらに、信号処理論理回路１０８を備える。信号処理論理回路１０８は、入力／出力コンポーネント１１０に動作可能に結合され、入力／出力コンポーネント１１０は、例として、計測コンポーネントおよびディスプレイやキーパッドなどを備える適切なユーザインタフェース（ＵＩ）が挙げられる。完全を期すために、信号処理論理回路１０８は、復号化／符号化機能などのような動作レジームを記憶するメモリ要素１１６に結合され、ランダムアクセスメモリ（ＲＡＭ）（揮発性）、（不揮発性）読み出し専用メモリ（ＲＯＭ）、フラッシュメモリ、またはこれらあるいは他のメモリ技術との任意の組み合わせなど、さまざまな技術で実現できる。タイマ１１８は、一般的に、無線通信ユニット１００内部の動作のタイミングを制御するために、信号処理論理回路１０８に結合される。
【００１６】
ここで、図２〜図１０を参照すると、本発明のいくつかの例示的な実施形態に従って構成された集積回路デバイス２００の例が示されている。集積回路デバイス２００は、例えば、図１の無線通信ユニット１００の無線周波数コンポーネントまたは回路１０６の少なくとも一部を実装するために使用され得る無線周波数集積回路（ＲＦＩＣ）を備えてもよい。従って、集積回路デバイス２００は、ＲＦ送受信器モジュール２１０を備える。
【００１７】
ＲＦ送受信器モジュール２１０は、入力２２１、２２４、２２７で集積回路デバイスの外部接点２０２、２０４に動作可能に結合される複数の低雑音増幅器（ＬＮＡ）モジュール２２０、２２３、２２６を備える。使用されている間、ＬＮＡモジュール２２０、２２３、２２６は、各外部接点２０２、２０４からＲＦ信号を受信し、受信したＲＦ信号を増幅し、かつ増幅したＲＦ信号を出力２２２、２２５、２２８するよう配置される。ＬＮＡモジュール２２０、２２３、２２６の出力２２２、２２５、２２８は、受信器モジュールに動作可能に結合される。示した例では受信器モジュールは、超ヘテロダイン受信器２５０を備え、超ヘテロダイン受信器２５０は、ＬＮＡモジュール２２０、２２３、２２６から増幅されたＲＦ信号を受信し、かつ受信した信号の復調および復号を行ってそこからデータを抽出する。その後、抽出されたデータは、一般的には２５５で示すように制御モジュール２４０に供給される。
【００１８】
ＲＦ送受信器モジュール２１０はさらに、複数の電力増幅器（ＰＡ）モジュール２３０、２３５を備える。複数の電力増幅器（ＰＡ）モジュール２３０、２３５は、その出力２３１、２３６で集積回路デバイス２００の外部接点２０２、２０４に動作可能に結合され、使用されている間、送信されるＲＦ信号をその入力２３２、２３７で受信し、送信されるＲＦ信号を増幅し、かつ送信される増幅された信号を出力２３１、２３６するよう配置される。ＰＡ２３０、２３５の入力は、ＰＡドライバ２７０に動作可能に結合される。示した例ではＰＡドライバ２７０は、制御モジュール２４０から送信されるデータを受信し（一般的には２７５で示すように）、送信されるデータの符号化および符号化されたデータを搬送するＲＦ信号の変調を行い、かつ変調された増幅されるＲＦ信号をＰＡ２３０、２３５に提供するよう配置されている。
【００１９】
完全を期すために、例示された送受信器モジュール２１０はさらに、位相ルックループ（ＰＬＬ）２６０を備え、位相ルックループ（ＰＬＬ）２６０は、受信器２５０およびＰＡドライバ２７０に対するそれぞれタイミング基準信号２６２、２６４を生成するよう配置される。
【００２０】
複数のＬＮＡ２２０、２２３、２２６および複数のＰＡ２３０、２３５は、少なくとも第１のマルチアンテナ構成および第２の単一アンテナ高送信電力構成において動作するよう選択的に構成可能である。例えば、例示された送受信器モジュール２１０は、単一のアンテナ高送信電力構成において動作するよう選択的に構成され得る２つのＰＡ２３０、２３５を備え、それにより送信されるＲＦ信号はＰＡ２３０、２３５の両方によって増幅される。その後、２つのＰＡ２３０、２３５によって出力された増幅信号は、高送信電力信号を提供するよう組み合わされる。
【００２１】
示した例では、制御モジュール２４０は、複数のＬＮＡ２２０、２２３、２２６および複数のＰＡ２３０、２３５を要求された送受信器構成において動作するよう選択的に構成するよう構成可能である。従って、制御モジュール２４０は、制御信号２４１、２４２、２４３、２４４、２４５をそれぞれ経由して、ＬＮＡ２２０、２２３、２２６およびＰＡ２３０、２３５のそれぞれに動作可能に結合される。
【００２２】
本発明のいくつかの例示的な実施形態に従って、複数のＬＮＡ２２０、２２３、２２６および複数のＰＡ２３０、２３５は、デュアルアンテナ送受信器構成、単一アンテナ高送信電力送受信器構成、および単一アンテナ低送信電力送受信器構成、の群のうちの少なくとも１つにおいて動作するよう選択的に構成可能であり得る。
【００２３】
図３および図４は、単一アンテナ低送信電力送受信器構成において動作するよう構成された送受信器モジュール２１０の例を示す。示した例では、送受信器モジュール２１０は、第１のＬＮＡ２２０を備え、第１のＬＮＡ２２０は、その入力２２１で集積回路デバイス２００の第１の外部接点２０２に動作可能に結合され、かつ第１の外部接点２０２からＲＦ信号を受信し、第１の外部接点２０２から受信されたＲＦ信号を増幅し、かつ増幅信号を出力２２２するよう選択的に構成可能である。例示された送受信器モジュール２１０はさらに、第１のＰＡ２３０を備え、第１のＰＡ２３０は、その出力２３１で集積回路デバイス２００の第１の外部接点２０２に動作可能に結合され、かつ送信されるＲＦ信号をその入力２３２で受信し、受信された送信されるＲＦ信号を増幅し、かつ増幅信号を第１の外部接点２０２に出力２３１するよう選択的に構成可能である。アンテナ３１０は、インピーダンス整合回路３２０を介して第１の外部接点２０２に動作可能に結合される。
【００２４】
図３は、単一アンテナ３１０からのＲＦ信号を受信するよう構成された送受信器モジュール２１０を示す。第１のＬＮＡ２２０は、アンテナ３１０からのＲＦ信号を第１の外部接点２０２を介して受信し、受信したＲＦ信号を増幅し、かつ増幅信号を受信器２５０に出力するよう、制御信号２４１を介して制御モジュール２４０によって制御される。残りのＬＮＡモジュール２２３、２２６およびＰＡモジュール２３０、２３５は、制御信号２４２、２４３、２４４、２４５を介して制御モジュール２４０によって効率的に「ディセーブル」される。
【００２５】
図４は、単一アンテナ３１０を介してＲＦ信号を送信するように構成された送受信器モジュール２１０を示す。第１のＰＡ２３０は、送信されるＲＦ信号をその入力２３２で受信し、受信されたＲＦ信号を増幅し、かつ増幅信号を外部接点２０２を介してアンテナ３１０に出力するよう、制御信号２４４を介して制御モジュール２４０によって制御される。ＬＮＡ２２０、２２３、２２６および残りのＰＡ２３５は、制御信号２４１、２４２、２４３、２４５を介して制御モジュール２４０によって効率的に「ディセーブル」される。
【００２６】
従って、図３および図４で示すように、送受信器モジュール２１０は、制御モジュール２４０を経由して、単一アンテナ３１０を介してＲＦ信号を送信および受信するよう選択的に制御されることが可能である。送受信器回路の効率性を最適化するために、例示された第１のＬＮＡ２２０および第１のＰＡ２３０は、第１の外部接点２０２に対して互換性のある（例えば、実質的に等しい）インピーダンスを含むよう構成されてもよい。このように、インピーダンス整合回路３２０は、第１のＬＮＡ２２０および第１のＰＡ２３０の両方で単一（共通）インピーダンスＺ０を整合するよう構成されてもよい。
【００２７】
図５〜図８は、デュアルアンテナ送受信器構成において動作するよう構成された送受信器モジュール２１０の例を示す。示した例では、送受信器モジュール２１０はさらに、第２のＬＮＡ２２３を備え、第２のＬＮＡ２２３は、その入力２２４で集積回路デバイス２００の第２の外部接点２０４に動作可能に結合され、かつ第２の外部接点２０４からＲＦ信号を受信し、第２の外部接点２０４から受信されたＲＦ信号を増幅し、かつ増幅されたＲＦ信号を出力２２５するよう選択的に構成可能である。送受信器モジュール２１０はさらに、第２のＰＡ２３５を備え、第２のＰＡ２３５は、その出力２３６で集積回路デバイス２００の第２の外部接点２０４に動作可能に結合され、かつ送信されるＲＦ信号をその入力２３７で受信し、受信された送信されるＲＦ信号を増幅し、かつ増幅信号を第２の外部接点２０４に出力２３６するよう選択的に構成可能である。第１のアンテナ５１０は、第１のインピーダンス整合回路５２０を介して第１の外部接点２０２に動作可能に結合される。第２のアンテナ５３０は、第２のインピーダンス整合回路５４０を介して第２の外部接点２０４に動作可能に結合される。
【００２８】
図５は、第１のアンテナ５１０からＲＦ信号を受信するよう構成された送受信器モジュール２１０を示す。第１のＬＮＡ２２０は、第１のアンテナ５１０から第１の外部接点２０２を介してＲＦ信号を受信し、受信したＲＦ信号を増幅し、かつ増幅信号を受信器２５０に出力するよう、制御信号２４１を介して制御モジュール２４０によって制御される。残りのＬＮＡ２２３、２２６およびＰＡ２３０、２３５は、制御信号２４２、２４３、２４４、２４５を介して制御モジュール２４０によって効率的に「ディセーブル」される。
【００２９】
図６は、第２のアンテナ５３０からＲＦ信号を受信するように構成された送受信器モジュール２１０を示す。第２のＬＮＡ２２３は、第２のアンテナ５３０から第２の外部接点２０４を介してＲＦ信号を受信し、受信したＲＦ信号を増幅し、かつ増幅信号を受信器２５０に出力するよう、制御信号２４２を介して制御モジュール２４０によって制御される。残りのＬＮＡ２２０、２２６およびＰＡ２３０、２３５は、制御信号２４１、２４３、２４４、２４５を介して制御モジュール２４０によって効率的に「ディセーブル」される。
【００３０】
図７は、第１のアンテナ５１０を介してＲＦ信号を送信するよう構成された送受信器モジュール２１０を示す。第１のＰＡ２３０は、その入力２３２で送信されるＲＦ信号を受信し、受信されたＲＦ信号を増幅し、かつ増幅信号を第１の外部接点２０２を介して第１のアンテナ５１０に出力するよう、制御信号２４４を介して制御モジュール２４０によって制御される。ＬＮＡ２２０、２２３、２２６および残りのＰＡモジュール２３５は、制御信号２４１、２４２、２４３、２４５を介して制御モジュール２４０によって効率的に「ディセーブル」される。
【００３１】
図８は、第２のアンテナ５３０を介してＲＦ信号を送信するよう構成された送受信器モジュール２１０を示す。第２のＰＡ２３５は、その入力２３７で送信されるＲＦ信号を受信し、受信したＲＦ信号を増幅し、かつ増幅信号を第２の外部接点２０４を介して第２のアンテナ５３０に出力するよう、制御信号２４５を介して制御モジュール２４０によって制御される。ＬＮＡ２２０、２２３、２２６および残りのＰＡモジュール２３０は、制御信号２４１、２４２、２４３、２４４を介して制御モジュール２４０によって効率的に「ディセーブル」される。
【００３２】
従って、図５〜図８で示すように、送受信器モジュール２１０は、制御モジュール２４０を経由して、例えばアンテナダイバーシティシステム内部で実装され得るように、２つのアンテナ５１０、５３０を介してＲＦ信号を送信および受信するよう選択的に構成されることが可能である。送受信器回路の効率性を最適化するために、第２のＬＮＡ２２３および第２のＰＡ２３５は、第１の外部接点２０２に対して互換性のある（例えば、実質的に等しい）インピーダンスを含むように構成される第１のＬＮＡ２２０および第１のＰＡ２３０に加えて、第２の外部接点２０４に対して互換性のある（例えば、実質的に等しい）インピーダンスを含むように構成されてもよい。このように、インピーダンス整合回路５２０、５４０はそれぞれ、ＬＮＡ２２０、２２３およびＰＡ２３０、２３５の両方で単一（共通）インピーダンス（Ｚ２）を整合するよう構成され得る。
【００３３】
一例として、第２のＬＮＡ２２３および第２のＰＡ２３５は、図３および図４で示すような第１のＬＮＡ２２０および第１のＰＡ２３０と同様に、単一アンテナ低送信電力送受信器構成において動作するよう同等に構成され得る。
【００３４】
図９および図１０は、単一アンテナ高送信電力送受信器構成において動作するよう構成された送受信器モジュール２１０の例を示す。示した例では、送受信器モジュール２１０はさらに、第３のＬＮＡ２２６を備え、第３のＬＮＡ２２６は、その入力２２７で集積回路デバイス２００の第２の外部接点２０４に動作可能に結合され、かつ第２の外部接点２０４からＲＦ信号を受信し、第２の外部接点２０４から受信したＲＦ信号を増幅し、かつ増幅されたＲＦ信号を出力２２８するよう選択的に構成可能である。単一アンテナ９１０は、インピーダンス整合回路９２０を介して第１の外部接点２０２および第２の外部接点２０４に動作可能に結合される。
【００３５】
図９は、アンテナ９１０からＲＦ信号を受信するよう構成された送受信器モジュール２１０を示す。第３のＬＮＡ２２６は、アンテナ９１０から第２の外部接点２０４を介してＲＦ信号を受信し、受信されたＲＦ信号を増幅し、かつ増幅信号を受信器２５０に出力するよう、制御信号２４３を介して制御モジュール２４０によって制御される。残りのＬＮＡ２２０、２２３およびＰＡ２３０、２３５は、制御信号２４１、２４２、２４４、２４５を介して制御モジュール２４０によって効率的に「ディセーブル」される。
【００３６】
図１０は、アンテナ９１０を介してＲＦ信号を送信するよう構成された送受信器モジュール２１０を示す。第１のＰＡ２３０は、送信されるＲＦ信号をその入力２３２で受信し、受信されたＲＦ信号を増幅し、かつ増幅信号を第１の外部接点２０２を介してアンテナ９１０に出力するよう、制御信号２４４を介して制御モジュール２４０によって制御される。第２のＰＡ２３５は、送信されるＲＦ信号をその入力２３７で受信し、受信されたＲＦ信号を増幅し、かつ増幅信号を第２の外部接点２０４を介してアンテナ９１０に出力するよう、制御信号２４５を介して制御モジュール２４０によって制御される。図示されるように、外部接点２０２、２０４は互いに動作可能に結合され、増幅信号を組み合わせて高送信電力信号を生成する。ＬＮＡ２２０、２２３、２２６は、制御信号２４１、２４２、２４３を介して制御モジュール２４０によって効率的に「ディセーブル」される。
【００３７】
従って、図９および図１０で示すように、送受信器モジュール２１０は、制御モジュール２４０を経由して、単一アンテナ９１０を介してＲＦ信号を送信および受信するよう選択的に構成することが可能である。具体的には、送受信器モジュール２１０は、第１のＰＡ２３０および第２のＰＡ２３５を使用して高送信電力で送信し、並列方式で信号を増幅できる。送受信器回路の効率性を高めるため、第３のＬＮＡ２２６は、第１の外部接点２０２および第２の外部接点２０４に対して、並列に動作可能に結合されている場合、第１のＰＡ２３０および第２のＰＡ２３５と互換性のある（例えば、実質的に等しい）インピーダンスを含んでもよい。このように、インピーダンス整合回路９２０は、並列方式で構成される第３のＬＮＡ２２６およびＰＡ２３０、２３５の両方で単一（共通）インピーダンス（Ｚ１）を整合するよう構成されてもよい。
【００３８】
受信チェーンでは、ＬＮＡ最適インピーダンスは、ＬＮＡ入力インピーダンスまたは中間最小雑音インピーダンスによって定義され得る。一例では、このインピーダンスは、設計段階の間に定義されてもよく、能動デバイスバイアス状況、能動および受動コンポーネント、サイジングなどによって異なり得る。その後、広域の入力インピーダンス範囲に渡り、性能が改善されたＬＮＡを開発することが可能となる。それにもかかわらず、外部整合ネットワークの損失を最小化するために、一例では、ＬＮＡ入力インピーダンスは、アンテナインピーダンス（例えば１０〜２００オーム）とほぼ同じになるよう構成されてもよい。
【００３９】
送信チェーンでは、ＰＡインピーダンスは、ＰＡの出力インピーダンスとして定義されないが、最大の効率性で最大の電力送信を有するために、ＰＡに与える最適なインピーダンスとして定義される。ほとんどの時間をパルス制御電流を使用して「オン」／「オフ」切り替え方式で動作するよう構成されるＰＡもあるので、上限は、負荷に提供され得る最大電圧によって与えられてもよい。オームの法則を考慮すると、負荷インピーダンス、供給電圧およびパルス電流値は、互いに関連がある。従って、小さな電流で比較的大きなインピーダンスを使用すること、または大きな電流で低いインピーダンスを使用することが可能となり、どちらも同じ電力を提供するよう構成され得る。しかしながら、整合ネットワークの損失を最小化するため、１つの例示的な実施形態は、例えば１０〜２００オームのような比較的低いインピーダンスを選択し得る。
【００４０】
ＰＡがＩＣの内部で開発されると、製品設計者は、２つ以上のＰＡが同じ電圧で２倍（または実質的に倍）の電流を提供するために並列に構成された送受信器を設計することが可能になる。このように、改善された／最適の性能のためにインピーダンスは、半減されてもよく、またはさらに削減されてもよい。一例では、共通の整合ネットワークが並列のＰＡを利用する構成において使用される場合、別のＬＮＡは、半分のインピーダンスで組み込まれ、かつ設計されてもよい。
【００４１】
一例では、第１のＬＮＡ２２０および第２のＬＮＡ２２３は、第１のＰＡ２３０および第２のＰＡ２３５のインピーダンスそれぞれと実質的に等しいインピーダンスを含むよう構成されてもよい。このように、送受信器モジュール２１０が、図３および図４に示されるような単一アンテナ低送信電力構成、または図５〜図８に示されるようなデュアルアンテナ送受信器構成のいずれかで動作する場合、アンテナと送受信器モジュール２１０との間の正確なインピーダンス整合が、達成され得る。従って、最適なＰＡインピーダンスは、一般的に利用可能な供給電圧およびＰＡ電流源の能力によって定義されるが、達成され得る。
【００４２】
しかしながら、図９および図１０に示されるように、送受信器モジュールが単一アンテナ高送信電力送受信器構成で動作している場合、２つのＰＡ２３０、２３５は並列で動作するよう構成されるため、実質的に２倍の電流は、インピーダンス整合回路９２０に出力され、結果としてインピーダンス整合回路９１０によって供給される必要な負荷インピーダンスの約半分をもたらす。結果として、インピーダンス整合回路９１０は、もはや第１のＬＮＡ２２０および第２のＬＮＡ２２３と互換性を持たない。従って、単一アンテナ高送信電力送受信動作の間に使用する第３のＬＮＡ２２６を提供することによって、第３のＬＮＡ２２６は、インピーダンス整合回路９１０によって提供される低負荷インピーダンスと互換性を持つように構成されてもよい。例えば低負荷インピーダンスは、第１のＬＮＡ２２０および第２のＬＮＡ２２３の入力インピーダンスの実質的に半分を含む。ＬＮＡ入力インピーダンスは、一般的に集積回路デバイスの設計段階で定義される（例えば、ＭＯＳ（金属酸化物半導体）ゲートサイズ、コイル値、バイアス電流などの調整を通じて）。
【００４３】
重要な点として、示された例では、高送信電力構成を含む各送受信器構成において、共通の外部接点が送信および受信チェーンの両方で使用されるため、追加の有益な外部接点が利用されることの必要性は実質的になくなる。
【００４４】
少なくとも第１のマルチアンテナ構成および第２の単一アンテナ高送信電力構成において動作するよう選択的に構成されるように集積回路デバイス２００の送受信器モジュール２１０内にＬＮＡおよびＰＡを構成することによって、集積回路デバイス２００は、異なる送受信器構成の送受信器機能を提供できる。具体的には、集積回路デバイスは、マルチアンテナ構成または単一アンテナ構成内で送受信器機能を提供し得る。示された例では、集積回路デバイス２００は、上記で説明し添付の図面で示すように、デュアルアンテナ送受信器構成、低送信電力単一アンテナ構成、または高送信電力構成内で送受信器機能を提供できる。
【００４５】
一例では、並列ＰＡネットワークと互換性を持つよう構成された追加のＬＮＡを組み込むとともに、集積回路（または無線通信ユニット）の１つ以上の以下の要素、すなわち、少なくとも１つのＰＡの論理制御、少なくとも１つのＰＡドライバ回路の論理制御は、構成され得る。動作の第１のモードにおいて、集積回路はアンテナダイバーシティに利用されてもよい。動作の第１のモードにおいて、第１のＬＮＡおよび第１のＰＡは、第２のアンテナ要素に動作可能に結合された第２のＬＮＡおよび第２のＰＡとともに、両方とも第１のアンテナ要素（例えば、アンテナアレイ）に動作可能に結合されてもよい。このように、アンテナダイバーシティは、２つのそれぞれのアンテナ要素を介して同じ信号を送信／受信することによって達成され得る。動作の第２のモードにおいて、例えば、動作のアンテナダイバーシティモードで使用されるＬＮＡよりも低いインピーダンスを示すよう追加のＬＮＡを構成することが可能である。このように、単一アンテナ要素は、高電力印加のために使用されてもよい。例えば、追加のＬＮＡは動作の第２のモードである受信モードで使用されてもよいのに対して、２以上のＰＡは、送信モードで同時に使用され得る。このように、高電力構成の送信モードにおいて、集積回路（または無線通信ユニット）の電位出力電力を、上記の動作の第１（アンテナダイバーシティ）モードと比較しておおよそ２倍にすることが可能となり得る。
【００４６】
このように、単一の集積回路デバイスは、異なる送受信器構成を利用するさまざまな異なる用途内で使用できるよう開発されることができ、このような集積回路デバイスの設計および開発の時間スケールおよびコストを大幅に削減する。重要な点として、このような集積回路デバイスのコストが削減されるだけでなく、このような集積回路デバイスを備える無線通信ユニットの材料費も削減される。
【００４７】
さらに、集積回路デバイスは異なる送受信器構成をサポートできるので、異なる送信技術をサポートできる無線通信ユニットが提供され、異なる送受信器構成を必要としてもよく、異なる送受信機構成は、無線通信ユニットとは、集積回路デバイスに結合されたアンテナおよびインピーダンス整合回路構成によってのみ異なる（ハードウェアの点で）。重要な点として、同じ集積回路デバイス２００が異なる送受信器構成を提供するために使用され得るので、集積回路デバイスに「隠れた」残りの無線通信ユニットは、異なる送信技術用に重複されてもよい。これはこのような無線通信デバイスの開発コストおよび時間スケールを大幅に削減する。
【００４８】
次に図１１を参照すると、例えば図１の無線通信ユニット１００を製造するために実装され得るようないくつかの例示的な実施形態に従って、無線通信システムを製造する方法の簡略化されたフローチャート１１００の例が示されている。この方法は、ステップ１１１０で開始され、無線通信ユニットのＲＦ送受信器構成を決定することによって、ステップ１１２０に移動する。例えば、ステップ１１２０は、デュアルアンテナ送受信器構成、単一アンテナ高送信電力送受信器構成、および単一アンテナ低送信電力送受信器構成からなる群から、ＲＦ送受信器構成を選択することを含む。
【００４９】
次に、ステップ１１３０において、この方法は、例えば図３〜図１０に示されるアンテナおよび整合ネットワーク構成の１つのような、決定されたＲＦ送受信器構成のために必要なアンテナおよび整合ネットワーク構成を選択することを含む。その後、ステップ１１４０において、ＲＦ送受信器回路は、選択されたアンテナおよび整合ネットワーク構成、および図２の集積回路デバイス２００のような、少なくとも第１のマルチアンテナ構成および第２の単一アンテナ高送信電力構成において動作するよう構成され得るＲＦ送受信器モジュールを備える集積回路デバイスを含むように組み立てられる。次に、ステップ１１５０において、集積回路デバイスのＲＦ送受信器モジュールは、決定されたＲＦ送受信器構成に従って動作するよう構成される。設計方法はその後、１１６０において終了する。設計方法は集積回路を製造する方法の一部であってもよく、設計方法が終了した後、集積回路はフォトマスクの図柄に従って製造され得ることが明らかであろう。
【００５０】
本発明の例示されている実施形態は、大部分について、当業者に既知の電子コンポーネントおよび回路を使用して実装され得るため、本発明の基礎となる概念の理解および評価のために、ならびに本発明の教示を分かりにくくせず当該教示から注意を逸らさせないために、詳細は上記で例示されているような必要と考えられる範囲を超えては説明されない。
【００５１】
本発明は、コンピュータシステムのようなプログラム可能な機器上で起動する場合に本発明による方法のステップを行うための、またはプログラム可能な機器が本発明によるデバイスまたはシステムの機能を実行できるようにするための、コード部分を少なくとも含む、コンピュータシステム上で起動するコンピュータプログラム内の少なくとも一部（例えば、制御モジュール２４０のすべてまたは一部、および／または図１１の方法のすべてまたは一部）に実装できる。
【００５２】
コンピュータプログラムは、特定のアプリケーションプログラムおよび／またはオペレーティングシステムのような、命令のリストである。コンピュータプログラムは例えば、サブルーチン、関数、プロシージャ、オブジェクトメソッド、オブジェクトインプリメンテーション、実行可能アプリケーション、アプレット、サーブレット、ソースコード、オブジェクトコード、共有ライブラリ／動的ロードライブラリ、および／または、コンピュータシステム上での実行のために設計される他の一連の命令のうちの１つまたは複数を含むことができる。
【００５３】
コンピュータプログラムはコンピュータ可読記憶媒体上に内部的に記憶されるか、またはコンピュータ可読伝送媒体を介してコンピュータシステムに送信されることができる。コンピュータプログラムのすべてまたはいくつかは、情報処理システムに永続的に、取り外し可能に、または遠隔的に結合されるコンピュータ可読媒体上で提供されることができる。コンピュータ可読媒体は例えば、限定されることなく、いくつか例を挙げると、ディスクおよびテープ記憶媒体を含む磁気記憶媒体、コンパクトディスク媒体（例えば、ＣＤ−ＲＯＭ、ＣＤ−Ｒなど）およびデジタルビデオディスク記憶媒体を含む光記憶媒体、フラッシュメモリ、ＥＥＰＲＯＭ、ＥＰＲＯＭ、ＲＯＭのような半導体ベースのメモリユニットを含む不揮発性メモリ記憶媒体、強磁性デジタルメモリ、ＭＲＡＭ、レジスタ、バッファまたはキャッシュ、メインメモリ、ＲＡＭなどを含む揮発性記憶媒体、ならびにコンピュータネットワーク、ポイントツーポイント遠隔通信機器、および搬送波伝送媒体を含むデータ伝送媒体のうちの任意の数を含むことができる。
【００５４】
コンピュータプロセスは通常、実行している（作動している）プログラムまたはプログラムの一部、現在のプログラム値および状態情報、ならびにプロセスの実行を管理するためにオペレーティングシステムによって使用されるリソースを含む。オペレーティングシステム（ＯＳ）は、コンピュータのリソースの共有を管理するとともにプログラマにこれらのリソースにアクセスするために使用されるインタフェースを提供するソフトウェアである。オペレーティングシステムは、システムデータおよびユーザ入力を処理して、タスクおよび内部システムリソースをシステムのユーザおよびプログラムに対するサービスとして配分および管理することによって応答する。
【００５５】
コンピュータシステムは例えば、少なくとも１つの処理装置、関連付けられるメモリ、および多数の入出力（Ｉ／Ｏ）デバイスを含むことができる。コンピュータプログラムを実行する時、コンピュータシステムはコンピュータプログラムに従って情報を処理して、結果としての出力情報をＩ／Ｏデバイスを介して生成する。
【００５６】
上記の明細書において、本発明が本発明の実施形態の具体例を参照して説明された。しかしながら、添付の特許請求の範囲に記載されている本発明のより広い精神および範囲から逸脱することなく、そこにさまざまな修正および変更を行うことができることは明らかであろう。
【００５７】
本明細書において説明されているような接続は、例えば介在するデバイスを介してそれぞれのノード、ユニットまたデバイスから、またはそれらへと信号を転送するのに適切な任意のタイプの接続であることができる。従って、別途暗示または提示されていない限り、接続は例えば直接接続であってもよいし、間接接続であってもよい。接続は、単一の接続、複数の接続、一方向性接続、または双方向性接続であることに関連して例示または記載され得る。しかしながら、実施形態が異なれば、接続の実施態様は変化してもよい。例えば、双方向性接続ではなく別個の一方向性接続が使用されてもよく、その逆であってもよい。さらに、複数の接続が、連続してまたは時分割多重方式で複数の信号を伝送する単一の接続と置き換わってもよい。同様に、複数の信号を搬送する単一の接続が、これらの信号のサブセットを搬送するさまざまな異なる接続に分離されてもよい。それゆえ、信号の伝送には多くの選択肢が存在する。
【００５８】
特定の導電型または電位の極性が記載され、例に示されているが、導電型および電位の極性は逆になってもよいことが理解されるだろう。
本明細書において記載されている各信号は正または負の論理として設計され得る。負論理信号の場合、信号は、論理的真状態が論理レベル０に対応するアクティブ・ローである。正論理信号の場合、信号は、論理的真状態が論理レベル１に対応するアクティブ・ハイである。本明細書に記載される信号はいずれも負または正論理信号のいずれかとして設計されることができることに留意されたい。それゆえ、代替の実施形態では、正論理信号として記載される信号は、負論理信号として実装されてもよく、負論理信号として記載される信号は、正論理信号として実装されてもよい。
【００５９】
論理ブロック間の境界は例示にすぎないこと、および、代替的な実施形態は、論理ブロックもしくは回路要素を融合し、またはさまざまな論理ブロックもしくは回路要素に対する代替的な機能の分解を課してもよいことを、当業者は認識しよう。従って、本明細書において描写したアーキテクチャは例示にすぎないこと、および、事実、同じ機能を達成する多くの他のアーキテクチャを実装できることは理解されたい。例えば、示された例では、制御モジュール２４０、受信器２５０、ＰＬＬ２６０、およびＰＡドライバ２７０は、独立した論理ブロックとして示されている。しかしながら、これらの各機能は、任意の適切な代替方式に分散および／または統合できることが理解されよう。
【００６０】
同じ機能を達成するための構成要素の任意の構成が、所望の機能が達成されるように効果的に「関連付けられる」。従って、本明細書における、特定の機能を達成するために結合される任意の２つの構成要素は互いに「関連付けられる」とみなすことができ、それによって、中間の構成要素またはアーキテクチャにかかわりなく、所望の機能が達成される。同様に、そのように関連付けられる任意の２つの構成要素も、所望の機能を達成するために互いに「動作可能に接続されている」または「動作可能に結合されている」とみなすことができる。
【００６１】
さらに、上述の動作間の境界は例示にすぎないことを当業者は認識しよう。複数の動作を単一の動作に組み合わせ、単一の動作を追加の動作に分散させ、複数の動作を少なくとも部分的に時間的に重ね合わせて実行できる。その上、代替的な実施形態は、特定の動作の複数のインスタンスを含んでもよく、動作の順序はさまざまな他の実施形態においては変更してもよい。
【００６２】
さらに例として、実施例、またはその一部は、任意の適切なタイプのハードウェア記述言語などによって、実回線または実回線に転換可能な論理表現のソフトまたはコード表現として実装されることができる。
【００６３】
さらに、本発明は、プログラム不能ハードウェアにおいて実装される物理デバイスまたはユニットに限定されるものではなく、本出願においては一般的に「コンピュータシステム」として示されている、メインフレーム、ミニコンピュータ、サーバ、ワークステーション、パーソナルコンピュータ、ノートパッド、携帯情報端末、電子ゲーム、自動車および他の組込みシステム、携帯電話、ならびに、さまざまな他の無線デバイスのような、適切なプログラムコードに従って操作することによって所望のデバイス機能を実行することが可能なプログラム可能デバイスまたはユニット内に適用されることもできる。
【００６４】
しかしながら、他の修正形態、変更形態および代替形態も可能である。従って、明細書および図面は限定的な意味においてではなく例示的に考慮されるべきである。
特許請求の範囲において、括弧間に置かれる任意の参照符号は特許請求の範囲を限定するものとして解釈されるべきではない。「備える（ｃｏｍｐｒｉｓｉｎｇ）」という文言は、特許請求項内にリストされているもの以外の要素またはステップの存在を除外するものではない。さらに、本明細書において使用される場合、「１つ（"ａ"ｏｒ"ａｎ"）」という用語は、１つまたは２つ以上として定義される。さらに、特許請求の範囲における「少なくとも１つの」および「１つまたは複数の」のような前置きの語句の使用は、不定冠詞「１つの（"ａ"ｏｒ"ａｎ"）」による別の請求項要素の導入が、このように導入された請求項要素を含む任意の特定の請求項を、たとえ同じ請求項が前置きの語句「１つまたは複数の」または「少なくとも１つの」および「１つの（"ａ"ｏｒ"ａｎ"）」のような不定冠詞を含む場合であっても、１つだけのこのような要素を含む発明に限定することを暗示するように解釈されるべきではない。同じことが、定冠詞の使用についても当てはまる。別途記載されない限り、「第１の」および「第２の」のような用語は、そのような用語が説明する要素間で適宜区別するように使用される。従って、これらの用語は必ずしも、このような要素の時間的なまたは他の優先順位付けを示すようには意図されていない。特定の手段が相互に異なる特許請求項において記載されているというだけの事実は、これらの手段の組み合わせを有利に使用することができないということを示すものではない。
【図１】
2013539947.tif 000003
【図２】
2013539947.tif 000004
【図３】
2013539947.tif 000005
【図４】
2013539947.tif 000006
【図５】
2013539947.tif 000007
【図６】
2013539947.tif 000008
【図７】
2013539947.tif 000009
【図８】
2013539947.tif 000010
【図９】
2013539947.tif 000011
【図１０】
2013539947.tif 000012
【図１１】
2013539947.tif 000013
【手続補正書】
【提出日】平成25年4月12日(2013.4.12)
【手続補正１】
【補正対象書類名】特許請求の範囲
【補正対象項目名】全文
【補正方法】変更
【補正の内容】
【特許請求の範囲】
【請求項１】
少なくとも１つのＲＦ送受信器モジュール（２１０）を備える集積回路デバイス（２００）であって、前記少なくとも１つのＲＦ送受信器モジュール（２１０）は、
複数の低雑音増幅器（２２０、２２３、２２６）であって、前記複数の低雑音増幅器（２２０、２２３、２２６）はそれぞれ、入力ポート（２２１、２２４、２２７）を有し、前記複数の低雑音増幅器（２２０、２２３、２２６）は、前記集積回路デバイス（２００）の少なくとも１つの外部接点（２０２、２０４）に動作可能に結合され、かつ前記少なくとも１つの外部接点（２０２、２０４）から第１のＲＦ信号を受信し、増幅された受信した第１のＲＦ信号を出力（２２２、２２５、２２８）するよう構成されていることと；
複数の電力増幅器（２３０、２３５）であって、前記複数の電力増幅器（２３０、２３５）はそれぞれ、出力ポート（２３１、２３６）を有し、前記複数の電力増幅器（２３０、２３５）は、前記集積回路デバイス（２００）の前記少なくとも１つの外部接点（２０２、２０４）に動作可能に結合され、かつ各電力増幅器入力ポート（２３２、２３７）で第２のＲＦ信号を受信し、増幅された送信される第２のＲＦ信号を出力（２３１、２３６）するように構成されることと
を含み、
前記複数の低雑音増幅器（２２０、２２３、２２６）および前記複数の電力増幅器（２３０、２３５）は、少なくとも第１のマルチアンテナ構成および第２の単一アンテナ高送信電力構成において動作するよう選択的に構成可能である、集積回路デバイス（２００）。
【請求項２】
前記複数の低雑音増幅器（２２０、２２３、２２６）および前記複数の電力増幅器（２３０、２３５）は、マルチアンテナ送受信器構成、単一アンテナ高送信電力送受信器構成、単一アンテナ低送信電力送受信器構成、の群のうちの少なくとも１つにおいて動作するよう選択的に構成可能である、
請求項１に記載の集積回路デバイス（２００）。
【請求項３】
前記ＲＦ送受信器モジュール（２１０）が前記第１のマルチアンテナ構成において動作するよう構成された場合、前記ＲＦ送受信器モジュール（２１０）は、
その入力（２２１）で前記集積回路デバイス（２００）の第１の外部接点（２０２）に動作可能に結合され、かつ前記第１の外部接点（２０２）から前記第１のＲＦ信号を受信し、増幅された第１のＲＦ信号を出力（２２２）するよう選択的に構成可能である第１の低雑音増幅器（２２０）と；
その入力（２２４）で前記集積回路デバイス（２００）の第２の外部接点（２０４）に動作可能に結合され、かつ前記第２の外部接点（２０４）から前記第１のＲＦ信号を受信し、増幅された第１のＲＦ信号を出力（２２５）するよう選択的に構成可能である第２の低雑音増幅器（２２３）と
を備える、
請求項１または請求項２に記載の集積回路デバイス（２００）。
【請求項４】
前記ＲＦ送受信器モジュール（２１０）が前記第１のマルチアンテナ構成において動作するよう構成された場合、前記ＲＦ送受信器モジュール（２１０）は、
その出力（２３１）で前記集積回路デバイス（２００）の第１の外部接点（２０２）に動作可能に結合され、かつ送信される前記第２のＲＦ信号をその入力（２３２）で受信し、増幅された送信される第２のＲＦ信号を前記第１の外部接点（２０２）に出力（２３１）するよう選択的に構成可能である第１の電力増幅器（２３０）と；
その出力（２３６）で前記集積回路デバイス（２００）の第２の外部接点（２０４）に動作可能に結合され、かつ送信される前記第２のＲＦ信号をその入力（２３７）で受信し、増幅された送信される前記第２のＲＦ信号を前記第２の外部接点（２０４）に出力（２３６）するよう選択的に構成可能である第２の電力増幅器（２３５）と
を備える、
請求項１乃至３のいずれか１項に記載の集積回路デバイス（２００）。
【請求項５】
前記第１の低雑音増幅器（２２０）および前記第１の電力増幅器（２３０）は、前記第１の外部接点（２０２）に対して互換性のあるインピーダンスを備えるよう構成された、
請求項４に記載の集積回路デバイス（２００）。
【請求項６】
前記複数の低雑音増幅器（２２０、２２３、２２６）は、第３の低雑音増幅器（２２６）を備え、前記第３の低雑音増幅器（２２６）は、その入力（２２７）で前記集積回路デバイス（２００）の第１の外部接点（２０２）および第２の外部接点（２０４）のうちの少なくとも１つに動作可能に結合され、かつ少なくとも前記複数の低雑音増幅器の他の低雑音増幅器（２２０、２２３）よりも少ない係数の入力インピーダンスを有する、
請求項１乃至５のいずれか１項に記載の集積回路デバイス（２００）。
【請求項７】
前記第３の低雑音増幅器（２２６）は前記第２の単一アンテナ高送信電力構成における動作の受信モードにおいて使用するために選択的に制御される、
請求項６に記載の集積回路デバイス（２００）。
【請求項８】
前記複数の電力増幅器（２３０、２３５）は、前記第２のＲＦ信号が少なくとも２つの電力増幅器（２３０、２３５）によって増幅され、かつ前記少なくとも１つの外部接点（２０２、２０４）に出力（２３１、２３６）されるよう前記集積回路デバイス（２００）を構成することによって、前記第２の単一アンテナ高送信電力構成において動作するよう選択的に制御される、
請求項６または請求項７に記載の集積回路デバイス（２００）。
【請求項９】
前記第３の低雑音増幅器（２２６）は、前記第１の外部接点（２０２）および前記第２の外部接点（２０４）に対して、それと並列に動作可能に結合された場合、前記第１の電力増幅器および前記第２の電力増幅器（２３０、２３５）と互換性のあるインピーダンスを備える、
請求項８に記載の集積回路デバイス（２００）。
【国際調査報告】
2013539947.tif 000014
2013539947.tif 000015